(57)【特許請求の範囲】
【請求項１】
燃料ガスを燃焼させるバーナと、筐体内へバーナの燃焼用空気を供給する燃焼ファンと、バーナにより生成された燃焼排ガス中の熱を回収して給水源から供給される水を加熱する熱交換器とを備え、筐体内におけるバーナの下方に熱交換器が配設され、前記燃焼排ガスを熱交換器に対して上方から供給するように構成された燃焼装置であって、
バーナの燃焼運転の停止後、燃焼ファンを所定時間継続して作動させ、筐体内に滞留する燃焼排ガスを外部に排出させるポストパージ運転の実行手段と、
ポストパージ運転の終了後、燃焼ファンの作動および停止を所定の間隔で複数回繰り返し、熱交換器の周辺で発生する水蒸気を外部に排出させる間欠給気運転の実行手段とを備えた、燃焼装置。
【請求項２】
燃料ガスを燃焼させるバーナと、筐体内へバーナの燃焼用空気を供給する燃焼ファンと、バーナにより生成された燃焼排ガス中の熱を回収して給水源から供給される水を加熱する熱交換器とを備え、筐体内におけるバーナの下方に熱交換器が配設され、前記燃焼排ガスを熱交換器に対して上方から供給するように構成された燃焼装置であって、
バーナの燃焼運転の停止後、燃焼ファンを所定時間作動させるポストパージ運転の実行手段と、
ポストパージ運転の終了後、燃焼ファンの作動および停止を所定の間隔で複数回繰り返す間欠給気運転の実行手段とを備え、
間欠給気運転における燃焼ファンの停止時間を初回停止時から徐々に大きく設定する、燃焼装置。
【請求項３】
請求項１または２に記載の燃焼装置において、
間欠給気運転の実行中に熱交換器の温度が基準温度より低くなれば、間欠給気運転を停止させる給気停止動作の実行手段を備えた、燃焼装置。
【請求項４】
請求項１から３のいずれかに記載の燃焼装置において、
間欠給気運転における燃焼ファンの作動時間もしくは回転数の少なくとも何れか一方を初回作動時から徐々に小さく設定する、燃焼装置。
【請求項５】
請求項１から４のいずれかに記載の燃焼装置において、
熱交換器の温度が低いほど、間欠給気運転における燃焼ファンの停止時間を大きく設定する、又は、間欠給気運転における燃焼ファンの作動時間もしくは回転数の少なくとも何れか一方を小さく設定する、燃焼装置。
【請求項６】
請求項１から４のいずれかに記載の燃焼装置において、
燃焼運転時のバーナの燃焼時間もしくは積算燃焼熱量が小さいほど、間欠給気運転における燃焼ファンの停止時間を大きく設定する、又は、間欠給気運転における燃焼ファンの作動時間もしくは回転数の少なくとも何れか一方を小さく設定する、燃焼装置。
【発明の詳細な説明】
【技術分野】
【０００１】
本発明は、燃焼装置、特に、熱交換器の上方にバーナが配設され、バーナにより生成された燃焼排ガスを熱交換器に対して上方から供給するように構成された燃焼装置に関する。
【背景技術】
【０００２】
従来、給湯器や暖房用熱源機などの燃焼装置において、バーナの燃焼運転が停止した後も一定時間燃焼ファンを作動させ続け、筐体内の燃焼排ガスを外部へ排出させるポストパージ運転を実行するように構成されたものが知られている（例えば、特許文献１から３参照）。
【先行技術文献】
【特許文献】
【０００３】
【特許文献１】特開２０１３−２４２０９６号公報
【特許文献２】特開２００８−２７０１号公報
【特許文献３】特開平１１−１０１４４９号公報
【発明の概要】
【発明が解決しようとする課題】
【０００４】
この種の燃焼装置では、燃焼運転中、熱交換器の表面で燃焼排ガス中の水分が凝縮し、強酸性のドレンが生成されるが、ポストパージ運転終了後の熱交換器周辺の温度状態やドレン量によっては、上記ドレンが再び蒸発して水蒸気となる場合がある。
【０００５】
熱交換器の下方にバーナが配設され、バーナにより生成された燃焼排ガスを熱交換器に対して下方から上方へ供給するように構成された所謂上向き燃焼式の燃焼装置の場合、ポストパージ運転の終了後、熱交換器の周辺で発生した水蒸気は、筐体内を上昇してそのまま排気口側へ流れるため、他の構成部品へ悪影響を与えない。しかしながら、熱交換器の上方にバーナが配設され、バーナにより生成された燃焼排ガスを熱交換器に対して上方から下方へ供給するように構成された所謂下向き燃焼式の燃焼装置では、ポストパージ運転の終了後、上記水蒸気が筐体内を上方へ逆流し、燃焼ファンや予混合器などバーナの上流側に配設された構成部品の腐食を招く虞がある。
【０００６】
この問題を考慮し、上記ドレンの蒸発が終息するまでポストパージ運転を延長して行う方法も考えられるが、ポストパージ運転を長時間継続して行えば、熱交換器内部の水が冷却され過ぎて、燃焼運転が再開されてから温水利用先へ所望温度の湯が供給されるまでのタイムラグが大きくなるし、寒冷環境下においては熱交換器内部で水が凍結して出湯不良を招く可能性もある。しかも、燃焼ファンを長時間作動させ続ける分、消費電力も多くなるし、騒音の問題もある。
【０００７】
本発明は、上記課題を鑑みてなされたものであり、その目的は、給湯器や暖房用熱源機などの燃焼装置において、再出湯性能の向上および運転時の消費電力、騒音の低減を図ることにある。
【課題を解決するための手段】
【０００８】
本発明は、燃料ガスを燃焼させるバーナと、筐体内へバーナの燃焼用空気を供給する燃焼ファンと、バーナにより生成された燃焼排ガス中の熱を回収して給水源から供給される水を加熱する熱交換器とを備え、筐体内におけるバーナの下方に熱交換器が配設され、前記燃焼排ガスを熱交換器に対して上方から供給するように構成された燃焼装置であって、バーナの燃焼運転の停止後、燃焼ファンを所定時間継続して作動させ、筐体内に滞留する燃焼排ガスを外部に排出させるポストパージ運転の実行手段と、ポストパージ運転の終了後、燃焼ファンの作動および停止を所定の間隔で複数回繰り返し、熱交換器の周辺で発生する水蒸気を外部に排出させる間欠給気運転の実行手段とを備える。
【０００９】
下向き燃焼式の燃焼装置の場合、ポストパージ運転の終了後に熱交換器の周辺で発生する水蒸気は、筐体内を比較的ゆっくりと上昇する。従って、上記間欠給気運転のように、燃焼ファンを作動させた後、所定時間停止させても、上記水蒸気はバーナの上流側まで容易に達しない。しかも、燃焼ファンを所定間隔毎に停止させることで、熱交換器内部の水が過度に冷却されないから、温水利用先へ所望温度の湯が供給されるまでのタイムラグを小さくできるし、熱交換器内部の水の凍結も防止できる。また、上記水蒸気の逆流防止に要する燃焼ファンの作動時間も短縮されるから、運転時の消費電力および騒音も低減できる。
【００１０】
本発明は、燃料ガスを燃焼させるバーナと、筐体内へバーナの燃焼用空気を供給する燃焼ファンと、バーナにより生成された燃焼排ガス中の熱を回収して給水源から供給される水を加熱する熱交換器とを備え、筐体内におけるバーナの下方に熱交換器が配設され、前記燃焼排ガスを熱交換器に対して上方から供給するように構成された燃焼装置であって、バーナの燃焼運転の停止後、燃焼ファンを所定時間作動させるポストパージ運転の実行手段と、ポストパージ運転の終了後、燃焼ファンの作動および停止を所定の間隔で複数回繰り返す間欠給気運転の実行手段とを備え、間欠給気運転における燃焼ファンの停止時間を初回停止時から徐々に大きく設定する。
【００１１】
ポストパージ運転の終了後、熱交換器の周辺で発生する水蒸気の量や上昇速度は、熱交換器の温度が低くなるに従って低下する。しかしながら、このものでは、間欠給気運転中、燃焼ファンの作動および停止を繰り返す毎にその停止時間が大きくなっていくから、熱交換器内部の水が過度に冷却されるのをより確実に防止できる。これにより、温水利用先へ所望温度の湯が供給されるまでのタイムラグをより小さくできるし、熱交換器内部の水の凍結もより確実に防止できる。また、燃焼ファンの作動時間もより短縮されるから、運転時の消費電力および騒音も一層低減できる。
【００１２】
好ましくは、上記燃焼装置において、間欠給気運転の実行中に熱交換器の温度が基準温度より低くなれば、間欠給気運転を停止させる給気停止動作の実行手段を備える。
【００１３】
熱交換器の温度が一定の温度まで下がると、熱交換器の周辺で水蒸気が発生し難くなる。従って、このものでは、間欠給気運転の実行中に熱交換器の温度が基準より低くなれば、間欠給気運転を停止し、以降の筐体内への給気を中止する。これにより、熱交換器内部の水が過度に冷却されるのをより確実に防止できるから、温水利用先へ所望温度の湯が供給されるまでのタイムラグをより小さくできるし、熱交換器内部の水の凍結もより確実に防止できる。また、燃焼ファンの作動時間もより短縮されるから、運転時の消費電力および騒音も一層低減できる。
【００１４】
好ましくは、上記燃焼装置において、間欠給気運転における燃焼ファンの作動時間もしくは回転数の少なくとも何れか一方を初回作動時から徐々に小さく設定する。
【００１５】
ポストパージ運転の終了後、熱交換器の周辺で発生する水蒸気の量や上昇速度は、熱交換器の温度が低くなるに従って低下する。しかしながら、このものでは、間欠給気運転中、燃焼ファンの作動および停止を繰り返す毎にその作動時間もしくは回転数の少なくとも何れか一方が小さくなっていくから、熱交換器内部の水が過度に冷却されるのをより確実に防止できる。これにより、温水利用先へ所望温度の湯が供給されるまでのタイムラグをより小さくできるし、熱交換器内部の水の凍結もより確実に防止できる。また、燃焼ファンの稼働量もより低下するから、運転時の消費電力および騒音も一層低減できる。
【００１６】
好ましくは、上記燃焼装置において、熱交換器の温度が低いほど、間欠給気運転における燃焼ファンの停止時間を大きく設定する、又は、間欠給気運転における燃焼ファンの作動時間もしくは回転数の少なくとも何れか一方を小さく設定する。
【００１７】
ポストパージ運転の終了後、熱交換器の周辺で発生する水蒸気の量や上昇速度は、熱交換器の温度が低くなるに従って低下する。しかしながら、このものでは、熱交換器の温度が低いほど、間欠給気運転における燃焼ファンの停止時間が大きくなる、又は、作動時間もしくは回転数の少なくとも何れか一方が小さくなるから、熱交換器内部の水が過度に冷却されるのをより確実に防止できる。これにより、温水利用先へ所望温度の湯が供給されるまでのタイムラグをより小さくできるし、熱交換器内部の水の凍結もより確実に防止できる。また、燃焼ファンの稼働量もより低下するから、運転時の消費電力および騒音も一層低減できる。
【００１８】
好ましくは、上記燃焼装置において、燃焼運転時のバーナの燃焼時間もしくは積算燃焼熱量が小さいほど、間欠給気運転における燃焼ファンの停止時間を大きく設定する、又は、間欠給気運転における燃焼ファンの作動時間もしくは回転数の少なくとも何れか一方を小さく設定する。
【００１９】
燃焼運転時のバーナの燃焼時間や積算燃焼熱量が小さいほど、熱交換器の表面で発生するドレンの量が少なくなる。従って、その分、ポストパージ運転の実行後に熱交換器の周辺で発生する水蒸気の量や上昇速度も低下する。しかしながら、このものでは、燃焼運転時のバーナの燃焼時間もしくは積算燃焼熱量が小さいほど、間欠給気運転における燃焼ファンの停止時間が大きくなる、又は、作動時間もしくは回転数の少なくとも何れか一方が小さくなるから、熱交換器内部の水が過度に冷却されるのをより確実に防止できる。これにより、温水利用先へ所望温度の湯が供給されるまでのタイムラグをより小さくできるし、熱交換器内部の水の凍結もより確実に防止できる。また、燃焼ファンの稼働量もより低下するから、運転時の消費電力および騒音も一層低減できる。
【発明の効果】
【００２０】
以上のように、本発明によれば、燃焼運転が再開されるまでの間に、熱交換器内部の水が過度に冷却されないから、温水利用先へ所望温度の湯が供給されるまでのタイムラグを小さくできるし、熱交換器内部の水の凍結も防止できる。よって、再出湯性能が向上する。また、燃焼ファンの作動時間も短縮されるから、運転時の消費電力および騒音の低減を図ることも可能である。
【図面の簡単な説明】
【００２１】
【図１】図１は、本発明の実施の形態に係る燃焼装置の概略構成図である。
【図２】図２は、本発明の第１の実施形態に係る燃焼装置の燃焼運転停止後の作動フローチャートである。
【図３】図３は、本発明の第１の実施形態に係る燃焼装置の間欠給気運転時における燃焼ファンのオンオフ動作と筐体内湿度との関係を示すグラフである。
【図４】図４は、本発明の第２の実施形態に係る燃焼装置の燃焼運転停止後の作動フローチャート（１）である。
【図５】図５は、本発明の第２の実施形態に係る燃焼装置の燃焼運転停止後の作動フローチャート（２）である。
【図６】図６は、本発明の第３の実施形態に係る燃焼装置の燃焼運転停止後の作動フローチャート（１）である。
【図７】図７は、本発明の第３の実施形態に係る燃焼装置の燃焼運転停止後の作動フローチャート（２）である。
【図８】図８は、本発明の第４の実施形態に係る燃焼装置の燃焼運転停止後の作動フローチャート（１）である。
【図９】図９は、本発明の第４の実施形態に係る燃焼装置の燃焼運転停止後の作動フローチャート（２）である。
【発明を実施するための形態】
【００２２】
次に、上記した本発明を実施するための形態について、添付図面を参照しながら詳述する。
【００２３】
図１に示すように、本発明の実施の形態に係る燃焼装置は、給水配管Ｌ１から熱交換器１２内に供給される水をバーナ１１の燃焼排ガスにより加熱し、給湯配管Ｌ２を通じてカランやシャワーなどの温水利用先Ｐへ供給する給湯器１である。
【００２４】
給湯器１の外装ケース１０内には、バーナ１１や熱交換器１２を収容する略矩形箱状の筐体２０が設けられている。外装ケース１０には、装置外部の空気を外装ケース１０内に取り込むための給気口１０１と、筐体２０内の空気を装置外部に排出するための排気口１０２とが設けられている。
【００２５】
筐体２０は、筐体２０の上部を構成する下部開放箱状の燃焼室２１と、筐体２０の下部を構成する上部開放箱状の熱交換室２２とで構成されており、熱交換室２２の下部に設けられた空気導出口２２１に、排気口１０２が排気通路２３を通じて繋がっている。
【００２６】
燃焼室２１内には、ガス配管Ｌ３から供給される燃料ガスを燃焼させて燃焼排ガスを生成するバーナ１１が組み込まれている。一方、熱交換室２２には、バーナ１１により生成された燃焼排ガス中の熱を回収し、給水配管Ｌ２から供給される水を加熱する熱交換器１２が組み込まれている。
【００２７】
燃焼室２１の上部に設けられた空気導入口２１１には、装置外部の空気をバーナ１１の燃焼用空気として給気口１０１から外装ケース１０内に取り込み、燃焼室２１内に送り込む燃焼ファン１３が連設されている。また、燃焼ファン１３の吸込口１３１には、給気口１０１から外装ケース１０内に取り込まれた空気とガス配管Ｌ３から供給される燃料ガスとを混合する予混合器１４が連設されている。さらに、燃焼室２１の空気導入口２１１には、筐体２０内の空気が燃焼ファン１３側、即ち、上流側へ逆流するのを阻止する逆流防止弁１５が設けられている。
【００２８】
このように、外装ケース１０内には、給気口１０１から筐体２０内を通って排気口１０２に至る給排気経路が画成されており、予混合器１４、燃焼ファン１３、逆流防止弁１５、バーナ１１、および熱交換器１２は、上記給排気経路に上流側からこの順序で配設されている。従って、燃焼ファン１３を作動させれば、装置外部の空気が給気口１０１から外装ケース１０の内部空間に取り込まれた後、予混合器１４を介して燃焼室２１内へ導入され、バーナ１１の配設部、熱交換器１２の配設部を順に通って排気口１０２から外部へ排出される。
【００２９】
バーナ１１は、下面に複数の炎孔（図示しない）を有しており、予混合器１４で混合された燃料ガスと空気の混合ガスを上記炎孔から下向きに放出し、燃焼させる。即ち、バーナ１１は、下面が燃焼面となるように構成されている。
【００３０】
熱交換器１２は、熱交換室２２の上部空間に縦向き横並びで複数設けられる板状の伝熱フィン１２０と、各伝熱フィン１２０に貫挿され、熱交換室２２の上部空間において上下に複数列で略水平に並設される第１伝熱管１２１と、熱交換室２２の下部空間において上下に複数列で略水平に並設される第２伝熱管１２２とで構成されており、燃焼室２１から熱交換室２２内に導入された燃焼排ガス中の顕熱を第１伝熱管１２１で回収した後、さらに第２伝熱管１２２にて上記燃焼排ガス中の顕熱および潜熱を回収するように構成されている。
【００３１】
各第１伝熱管１２１は、管端相互が図示しない連結ヘッダにより接続され、熱交換室２２の上部空間で蛇行する一つの顕熱熱交換管路１２Ａを構成している。各第２伝熱管１２２も同様、管端相互が図示しない連結ヘッダにより接続され、熱交換室２２の下部空間で蛇行する一つの潜熱熱交換管路１２Ｂを構成している。
【００３２】
潜熱熱交換管路１２Ｂの入口側の管端は、入水管路２６を介して給水配管Ｌ１に繋がっており、潜熱熱交換管路１２Ｂの出口側の管端は、顕熱熱交換管路１２Ａの入口側の管端に接続されている。また、顕熱熱交換管路１２Ａの出口側の管端は、出湯管路２７を介して給湯配管Ｌ２に繋がっている。従って、給水配管Ｌ１から入水管路２６に供給される水は、潜熱熱交換管路１２Ｂ、顕熱熱交換管路１２Ａの順に流通した後、出湯管路２７から給湯配管Ｌ２へ導出される。
【００３３】
入水管路２６には、熱交換器１２への給水量を検出する水量センサ１６が設けられている。一方、出湯管路２７には、顕熱熱交換管路１２Ａからの出湯温度を検出する熱交温度センサ１７が設けられている。
【００３４】
熱交換室２２の底部には、熱交換器１２で燃焼排ガス中の顕熱や潜熱を回収する際に伝熱フィン１２０や第１伝熱管１２１、第２伝熱管１２２の表面に凝縮生成され、熱交換室２２の底部に滴下した強酸性のドレンを回収して中和するドレン中和器１８が連結されている。
【００３５】
外装ケース１０内には、給湯器１全体の動作を制御する制御回路３が組み込まれており、バーナ１１の図示しない点火電極、燃焼ファン１３のファンモータ１３０、予混合器１４の図示しない混合弁、水量センサ１６、および熱交温度センサ１７は、制御回路３に電気配線を通じて接続されている。
【００３６】
図示しないが、制御回路３は、バーナ１１の点火や消火、燃焼量の調整を行う燃焼制御部、燃焼ファン１３の作動や停止、回転数の調整を行う給排気制御部、水量センサ１６の検知水量に基づいて温水利用先Ｐへ給水が行われているか否かを判定する給水判定部、熱交温度センサ１７の検出温度に基づいて熱交換器１２の温度（以下、「熱交温度」という）Ｔ１を判定する熱交温度判定部、燃焼ファン１３の作動時間や停止時間を計測する計時部、間欠給気運転時における燃焼ファン１３の設定作動時間や設定停止時間、作動回数を記憶するメモリ等の回路構成を有している。
【００３７】
さらに、本発明の第１の実施形態に係る給湯器１の制御回路３は、温水利用先Ｐへの給水が開始された場合に、燃焼ファン１３を作動させてバーナ１１へ混合ガスを供給し、バーナ１１を点火させる一方、温水利用先Ｐへの給水が停止された場合には、バーナ１１への燃料ガスの供給を遮断してバーナ１１を消火させる燃焼運転の実行部、バーナ１１の燃焼運転が停止されてからさらに所定時間、燃焼ファン１３を作動させるポストパージ運転の実行部、ポストパージ運転の終了後、燃焼ファン１３の作動および停止を所定の間隔で複数回繰り返す間欠給気運転の実行部、間欠給気運転の実行中、熱交温度Ｔ１が基準温度Ｔｓより低くなった時点で間欠給気運転を停止させる給気停止動作の実行部、間欠給気運転における燃焼ファン１３の停止時間を、燃焼ファン１３の作動回数に応じて設定する給気間隔設定部、間欠給気運転における燃焼ファン１３の作動時間および回転数を、燃焼ファン１３の作動回数に応じて設定する給気量設定部等の回路構成を有している。
【００３８】
本発明の第１の実施形態に係る給湯器１の燃焼運転停止後の制御動作を、図２のフローチャートに従って説明する。尚、図示しないが、上記給湯器１では、水量センサ１６の検知水量が所定値以上になれば、温水利用先Ｐへの給水が開始されたとして、燃焼ファン１３を作動させてバーナ１１へ混合ガスを供給し、バーナ１１を点火させる一方、水量センサ１６の検知水量が所定値未満になれば、温水利用先Ｐへの給水が停止されたとして、バーナ１１への燃料ガスの供給を予混合器１４にて遮断し、バーナ１１を消火させる。
【００３９】
燃焼運転の実行中に温水利用先Ｐへの給水が停止され、バーナ１１が消火されると、その時点からさらに所定時間Ａｐ（ここでは、１８０秒間）継続して、燃焼ファン１３を所定のパージ回転数Ｍｐ（ここでは、２００Ｈｚ）で作動させるポストパージ運転を行う。これにより、装置外部の空気が筐体２０内へ取り込まれると共に、筐体２０内に滞留する燃焼排ガスが装置外部へ排出される（ＳＴ１０１）。
【００４０】
ポストパージ運転を行った結果、熱交温度Ｔ１が基準温度Ｔｓ（ここでは、３０℃）より低くなった場合は、熱交換器１２の表面に付着したドレンが水蒸気になり難い状態であるとして、間欠給気運転を行わず、メモリに記憶された燃焼ファン１３の作動回数Ｃ１を「０」にリセットした上で、温水利用先Ｐへの給水が再開されるのを待機した状態に戻る（ＳＴ１０２〜ＳＴ１０３）。
【００４１】
一方、ポストパージ運転が終了した時点で、熱交温度Ｔ１が基準温度Ｔｓ以上であれば（ＳＴ１０２のステップでＹｅｓ）、熱交換器１２の表面に付着したドレンが水蒸気になり易く、逆流防止弁１５にごみ噛みや故障などの機能不良が生じている場合に、熱交換室２２から燃焼室２１の上流側へ逆流する可能性がある。従って、この場合は、燃焼ファン１３の作動および停止を所定の間隔で複数回繰り返す間欠給気運転を行う。具体的には、間欠給気運転時の燃焼ファン１３の作動回数Ｃ１が「０」であれば、燃焼ファン１３を第１の設定作動時間Ａ１（ここでは、１８０秒間）、第１の設定回転数Ｍ１（ここでは、２５０Ｈｚ）で作動させた後、第１の設定停止時間Ｂ１（ここでは、５００秒間）停止させ、メモリに記憶された燃焼ファン１３の作動回数Ｃ１に「１」を加算記憶させる（ＳＴ１０４〜ＳＴ１０７）。
【００４２】
そして再び、熱交温度Ｔ１が基準温度Ｔｓ以上であるか否かの判定を行い、その結果、熱交温度Ｔ１が基準温度Ｔｓ以上であって（ＳＴ１０２のステップでＹｅｓ）、且つ、上記作動回数Ｃ１が「１」であれば（ＳＴ１０４のステップでＮｏ）、燃焼ファン１３を第１の設定作動時間Ａ１より小さい第２の設定作動時間Ａ２（ここでは、１４０秒間）、第１の設定回転数Ｍ１より小さい第２の設定回転数Ｍ２（ここでは、２３０Ｈｚ）で作動させた後、第１の設定停止時間Ｂ１より大きい第２の設定停止時間Ｂ２（ここでは、７００秒間）停止させ、メモリに記憶された燃焼ファン１３の作動回数Ｃ１に「１」を加算記憶させる。即ち、上記ＳＴ１０５からＳＴ１０６の基準オンオフ動作のステップより一段階、燃焼ファン１３の作動時間および回転数を小さく、停止時間を大きくしてオンオフ動作を行う（ＳＴ１０８〜ＳＴ１１０，ＳＴ１０７）。
【００４３】
そして再び、熱交温度Ｔ１が基準温度Ｔｓ以上であるか否かの判定を行い、その結果、熱交温度Ｔ１が基準温度Ｔｓ以上であって（ＳＴ１０２のステップでＹｅｓ）、且つ、上記作動回数Ｃ１が「０」でも「１」でもなければ（ＳＴ１０４，ＳＴ１０８のステップで何れもＮｏ）、燃焼ファン１３を第２の設定作動時間Ａ２より小さい第３の作動時間Ａ３（ここでは、１００秒間）、第２の設定回転数Ｍ２より小さい第３の設定回転数Ｍ３（ここでは、２００Ｈｚ）で作動させた後、第２の設定停止時間Ｂ２より大きい第３の停止時間Ｂ３（ここでは、９００秒間）停止させ、熱交温度Ｔ１が基準温度Ｔｓ以上であるか否かの判定に戻る。即ち、ＳＴ１０９からＳＴ１１０のオンオフ動作のステップよりさらに一段階、燃焼ファン１３の作動時間および回転数を小さく、停止時間を大きくしてオンオフ動作を行う（ＳＴ１１１〜ＳＴ１１２）。
【００４４】
上記のように間欠給気運転を行っている間に、熱交温度Ｔ１が基準温度Ｔｓより低くなれば（ＳＴ１０２のステップでＮｏ）、熱交換器１２からのドレンの蒸発が終息したとして、メモリに記憶された燃焼ファン１３の作動回数Ｃ１を「０」にリセットし、間欠給気運転を終了する（ＳＴ１０３）。
【００４５】
図３のグラフ４１は、上記給湯器１における間欠給気運転時の燃焼ファン１３のオンオフ動作と熱交温度Ｔ１との関係特性を示しており、グラフ４２は、上記オンオフ動作と筐体２０内の湿度との関係特性を示している。これらのグラフ４１，４２が示すように、間欠給気運転の実行中、熱交換器１２の温度（熱交温度）Ｔ１は、徐々に低下していく。一方、筐体２０内の湿度は、燃焼ファン１３の作動および停止に合わせて上昇降下を繰り返しながら徐々に低下し、熱交温度Ｔ１が基準温度Ｔｓ（３０℃）に近くなれば、燃焼ファン１３が停止されていても殆ど上昇しなくなる。
【００４６】
このように、上記第１の実施形態に係る給湯器１によれば、ポストパージ運転の終了後に熱交換器１２の周辺で発生する水蒸気を、間欠給気運転によって外部へ排出させるから、熱交換器１２内部の水が過度に冷却されない。これにより、温水利用先Ｐへ所望温度の湯が供給されるまでのタイムラグを小さくできるし、熱交換器１２内部の水の凍結も防止できる。よって、再出湯性能が向上する。また、上記水蒸気の逆流防止に要する燃焼ファン１３の作動時間も短縮されるから、運転時の消費電力および騒音の低減を図ることも可能である。
【００４７】
しかも、このものでは、間欠給気運転の実行中に熱交温度Ｔ１が基準温度Ｔｓより低くなれば、間欠給気運転を停止し、以降の筐体２０内への給気を中止させるから、熱交換器１２内部の水がより冷却され難い。これにより、上記タイムラグをより小さくできるし、熱交換器１２内部の水の凍結もより確実に防止できる。よって、再出湯性能が一層向上する。また、水蒸気の逆流防止に要する燃焼ファン１３の作動時間もより短縮されるから、運転時の消費電力および騒音を一層低減することも可能である。
【００４８】
また、ポストパージ運転の終了後、熱交換器１２の周辺で発生する水蒸気の量や上昇速度は、熱交換器１２の温度が低くなるに従って低下するが、このものでは、間欠給気運転中、燃焼ファン１３の停止時間が初回停止時から徐々に大きく設定される、即ち、燃焼ファン１３の作動および停止を繰り返す毎にその停止時間が大きくなっていくから、熱交換器１２内部の水がより冷却され難い。これにより、上記タイムラグをより小さくできるし、熱交換器１２内部の水の凍結もより確実に防止できる。よって、再出湯性能が一層向上する。また、水蒸気の逆流防止に要する燃焼ファン１３の作動時間もより短縮されるから、運転時の消費電力および騒音を一層低減することも可能である。
【００４９】
さらに、このものでは、間欠給気運転中、燃焼ファン１３の作動時間および回転数が初回停止時から徐々に小さく設定される、即ち、燃焼ファン１３の作動および停止を繰り返す毎にその作動時間および回転数が小さくなっていくから、熱交換器１２内部の水がより冷却され難い。これにより、上記タイムラグをより小さくできるし、熱交換器１２内部の水の凍結もより確実に防止できる。よって、再出湯性能が一層向上する。また、間欠給気運転中の燃焼ファン１３の稼働量もより低下するから、運転時の消費電力および騒音を一層低減することも可能である。
【００５０】
本発明の第２の実施形態に係る給湯器１は、熱交温度Ｔ１が低いほど、間欠給気運転における燃焼ファン１３の停止時間を大きく、作動時間および回転数を小さく設定する機能をさらに備えている。詳述すると、制御回路３の給気間隔設定部は、間欠給気運転における燃焼ファン１３の停止時間を、熱交温度Ｔ１に応じて設定する回路構成をさらに有しており、給気量設定部は、間欠給気運転における燃焼ファン１３の作動時間および回転数を、熱交温度Ｔ１に応じて設定する回路構成をさらに有している。
【００５１】
本発明の第２の実施形態に係る給湯器１の燃焼運転停止後の制御動作を、図４および図５のフローチャートに従って説明する。
【００５２】
燃焼運転の実行中に温水利用先Ｐへの給水が停止され、バーナ１１が消火されると、上記第１の実施形態と同様、ポストパージ運転を行う。その結果、熱交温度Ｔ１が基準温度Ｔｓより低くなった場合は、間欠給気運転を行わずに、メモリに記憶された所定温度条件毎の燃焼ファン１３の作動回数Ｃ１，Ｃ２，Ｃ３を「０」にリセットし、温水利用先Ｐへの給水が再開されるのを待機した状態に戻る（ＳＴ２０１〜ＳＴ２０３）。
【００５３】
一方、ポストパージ運転が終了した時点で、熱交温度Ｔ１が基準温度Ｔｓ以上である場合（ＳＴ２０２のステップでＹｅｓ）は、熱交換器１２の表面に付着したドレンが水蒸気になり易い状態であるとして、燃焼ファン１３の作動および停止を所定の間隔で複数回繰り返す間欠給気運転を行う。具体的には、熱交温度Ｔ１が基準温度Ｔｓ以上であれば、さらに熱交温度Ｔ１が第１の判定温度Ｔａ（ここでは、７０℃）以上であるか否かを判定する（ＳＴ２０４）。
【００５４】
その結果、熱交温度Ｔ１が第１の判定温度Ｔａ以上である場合（ＳＴ２０４のステップでＹｅｓ）は、熱交換器１２からの水蒸気の発生量が比較的多い状態であるとして、第１の実施形態におけるＳＴ１０４からＳＴ１１２のステップと同様、その第１の温度条件における燃焼ファン１３の作動回数（第１作動回数）Ｃ１が増加する毎に、燃焼ファン１３の作動時間および回転数を小さく、停止時間を大きくしながら間欠給気運転が行われる（ＳＴ２０５〜ＳＴ２１３）。
【００５５】
上記のように間欠給気運転を行っている間、或いは、ポストパージ運転が終了した時点で、熱交温度Ｔ１が第１の判定温度Ｔａより低くなれば（ＳＴ２０４のステップでＮｏ）、さらに熱交温度Ｔ１が第２の判定温度Ｔｂ（ここでは、５０℃）以上であるか否かを判定する（ＳＴ２１４）。
【００５６】
その結果、熱交温度Ｔ１が第２の判定温度Ｔｂ以上であって（ＳＴ２１４のステップでＹｅｓ）、且つ、その第２の温度条件における燃焼ファン１３の作動回数（第２作動回数）Ｃ２が「０」であれば（ＳＴ２１５のステップでＹｅｓ）、燃焼ファン１３を第３の設定作動時間Ａ３より小さい第４の設定作動時間Ａ４（ここでは、９０秒間）、第３の設定回転数Ｍ３より小さい第４の設定回転数Ｍ４（ここでは、１８０Ｈｚ）で作動させた後、第３の設定停止時間Ｂ３より大きい第４の設定停止時間Ｂ４（ここでは、１０００秒間）停止させ、メモリに記憶された第２作動回数Ｃ２に「１」を加算記憶させる。即ち、第１の温度条件におけるＳＴ２１２からＳＴ２１３のオンオフ動作のステップよりさらに一段階、燃焼ファン１３の作動時間および回転数を小さく、停止時間を大きくしてオンオフ動作を行う（ＳＴ２１５〜ＳＴ２１８）。
【００５７】
そして再び、熱交温度Ｔ１が基準温度Ｔｓ以上であるか否かの判定を行い、その結果、熱交温度Ｔ１が基準温度Ｔｓ以上であって（ＳＴ２０２のステップでＹｅｓ）、且つ、第２の判定温度Ｔｂ以上であり（ＳＴ２０４のステップでＮｏ、ＳＴ２１４のステップでＹｅｓ）、上記第２作動回数Ｃ２が「１」であれば（ＳＴ２１５のステップでＮｏ、ＳＴ２１９のステップでＹｅｓ）、燃焼ファン１３を第４の設定作動時間Ａ４より小さい第５の設定作動時間Ａ５（ここでは、７０秒間）、第４の設定回転数Ｍ４より小さい第５の設定回転数Ｍ５（ここでは、１６０Ｈｚ）で作動させた後、第４の設定停止時間Ｂ４より大きい第５の設定停止時間Ｂ５（ここでは、１２００秒間）停止させ、メモリに記憶された第２作動回数Ｃ２に「１」を加算記憶させる（ＳＴ２１９〜ＳＴ２２１，ＳＴ２１８）。
【００５８】
そして再び、熱交温度Ｔ１が基準温度Ｔｓ以上であるか否かの判定を行い、その結果、熱交温度Ｔ１が基準温度Ｔｓ以上であって（ＳＴ２０２のステップでＹｅｓ）、且つ、第２の判定温度Ｔｂ以上であり（ＳＴ２０４のステップでＮｏ、ＳＴ２１４のステップでＹｅｓ）、上記第２作動回数Ｃ２が「０」でも「１」でもなければ（ＳＴ２１５，ＳＴ２１９のステップで何れもＮｏ）、燃焼ファン１３を第５の設定作動時間Ａ５より小さい第６の設定作動時間Ａ６（ここでは、５０秒間）、第５の設定回転数Ｍ５より小さい第６の設定回転数Ｍ６（ここでは、１４０Ｈｚ）で作動させた後、第５の設定停止時間Ｂ５より大きい第６の設定停止時間Ｂ６（ここでは、１４００秒間）停止させ、熱交温度Ｔ１が基準温度Ｔｓ以上であるか否かの判定に戻る（ＳＴ２２２〜ＳＴ２２３）。
【００５９】
上記のように間欠給気運転を行っている間、或いは、ポストパージ運転が終了した時点で、熱交温度Ｔ１が第２の判定温度Ｔｂより低くなった場合に（ＳＴ２１４のステップでＮｏ）、その第３の温度条件における燃焼ファン１３の作動回数（第３作動回数）Ｃ３が「０」であれば（ＳＴ２２４のステップでＹｅｓ）、燃焼ファン１３を第６の設定作動時間Ａ６より小さい第７の設定作動時間Ａ７（ここでは、４０秒間）、第６の設定回転数Ｍ６より小さい第７の設定回転数Ｍ７（ここでは、１３０Ｈｚ）で作動させた後、第６の設定停止時間Ｂ６より大きい第７の設定停止時間Ｂ７（ここでは、１６００秒間）停止させ、メモリに記憶された第３作動回数Ｃ３に「１」を加算記憶させる。即ち、第２の温度条件におけるＳＴ２２２からＳＴ２２３のオンオフ動作のステップよりさらに一段階、燃焼ファン１３の作動時間および回転数を小さく、停止時間を大きくしてオンオフ動作を行う（ＳＴ２２５〜ＳＴ２２７）。
【００６０】
そして再び、熱交温度Ｔ１が基準温度Ｔｓ以上であるか否かの判定を行い、その結果、熱交温度Ｔ１が基準温度Ｔｓ以上であって（ＳＴ２０２のステップでＹｅｓ）、且つ、第２の判定温度Ｔｂ未満であり（ＳＴ２０４，ＳＴ２１４のステップで何れもＮｏ）、上記第３作動回数Ｃ３が「１」であれば（ＳＴ２２４のステップでＮｏ、ＳＴ２２８のステップでＹｅｓ）、燃焼ファン１３を第７の設定作動時間Ａ７より小さい第８の設定作動時間Ａ８（ここでは、３０秒間）、第７の設定回転数Ｍ７より小さい第８の設定回転数Ｍ８（ここでは、１００Ｈｚ）で作動させた後、第７の設定停止時間Ｂ７より大きい第８の設定停止時間Ｂ８（ここでは、１８００秒間）停止させ、メモリに記憶された第３作動回数Ｃ３に「１」を加算記憶させる（ＳＴ２２８〜ＳＴ２３０，ＳＴ２２７）。
【００６１】
そして再び、熱交温度Ｔ１が基準温度Ｔｓ以上であるか否かの判定を行い、その結果、熱交温度Ｔ１が基準温度Ｔｓ以上であって（ＳＴ２０２のステップでＹｅｓ）、且つ、第２の判定温度Ｔｂ未満であり（ＳＴ２０４，ＳＴ２１４のステップで何れもＮｏ）、上記第３作動回数Ｃ３が「０」でも「１」でもなければ（ＳＴ２２４，ＳＴ２２８のステップで何れもＮｏ）、燃焼ファン１３を第８の設定作動時間Ａ８より小さい第９の設定作動時間Ａ９（ここでは、２０秒間）、第８の設定回転数Ｍ８より小さい第９の設定回転数Ｍ９（ここでは、７０Ｈｚ）で作動させた後、第８の設定停止時間Ｂ８より大きい第９の設定停止時間Ｂ９（ここでは、２０００秒間）停止させ、熱交温度Ｔ１が基準温度Ｔｓ以上であるか否かの判定に戻る（ＳＴ２３１〜ＳＴ２３２）。
【００６２】
このように、上記第２の実施形態に係る給湯器１によれば、熱交換器１２の温度が低いほど、間欠給気運転における燃焼ファン１３の停止時間が大きくなり、且つ、作動時間および回転数が小さくなるから、熱交換器１２内部の水が過度に冷却されるのをより確実に防止できる。これにより、上記タイムラグをより小さくできるし、熱交換器１２内部の水の凍結もより確実に防止できる。よって、再出湯性能が一層向上する。また、燃焼ファン１３の稼働量もより低下するから、運転時の消費電力および騒音を一層低減することも可能である。
【００６３】
上記第２の実施形態では、熱交温度Ｔ１が低いほど、間欠給気運転における燃焼ファン１３の停止時間を大きく、且つ、作動時間および回転数を小さく設定するように構成されたものを説明したが、本発明の第３の実施形態に係る給湯器１は、燃焼運転時におけるバーナ１１の燃焼時間Ｆ１が小さいほど、間欠給気運転における燃焼ファン１３の停止時間を大きく、且つ、作動時間および回転数を小さく設定するように構成されている。詳述すると、制御回路３の計時部は、燃焼運転時におけるバーナ１１の燃焼時間Ｆ１を計測する回路構成をさらに有している。また、給気間隔設定部は、熱交温度Ｔ１に代えて、燃焼時間Ｆ１に応じて間欠給気運転における燃焼ファン１３の停止時間を設定する回路構成を有しており、給気量設定部は、熱交温度Ｔ１に代えて、燃焼時間Ｆ１に応じて間欠給気運転における燃焼ファン１３の作動時間および回転数を設定する回路構成を有している。
【００６４】
本発明の第３の実施形態に係る給湯器１の燃焼運転停止後の制御動作を、図６および図７のフローチャートに従って説明する。尚、図示しないが、上記給湯器１では、温水利用先Ｐへの給水が開始され、バーナ１１が点火された時点から、温水利用先Ｐへの給水が停止され、バーナ１１が消火されるまでの燃焼時間Ｆ１の計測が行われる。
【００６５】
燃焼運転の実行中に温水利用先Ｐへの給水が停止され、バーナ１１が消火されると、上記第２の実施形態と同様、ポストパージ運転を行う。その結果、熱交温度Ｔ１が基準温度Ｔｓより低くなった場合は、間欠給気運転を行わずに、メモリに記憶された所定燃焼条件毎の燃焼ファン１３の作動回数Ｃ１，Ｃ２，Ｃ３を「０」にリセットし、温水利用先Ｐへの給水が再開されるのを待機した状態に戻る（ＳＴ３０１〜ＳＴ３０３）。
【００６６】
一方、ポストパージ運転が終了した時点で、熱交温度Ｔ１が基準温度Ｔｓ以上である場合（ＳＴ３０２のステップでＹｅｓ）は、熱交換器１２の表面に付着したドレンが水蒸気になり易い状態であるとして、燃焼ファン１３の作動および停止を所定の間隔で複数回繰り返す間欠給気運転を行う。具体的には、熱交温度Ｔ１が基準温度Ｔｓ以上であれば、さらに燃焼運転時におけるバーナ１１の燃焼時間Ｆ１が第１の判定時間Ｆａ（ここでは、１０分）以上であるか否かを判定する（ＳＴ３０４）。
【００６７】
そして、燃焼時間Ｆ１が第１の判定時間Ｆａ以上である場合（ＳＴ３０４のステップでＹｅｓ）は、熱交換器１２の表面に比較的多くのドレンが付着しており、水蒸気の発生量が比較的多い状態であるとして、第２の実施形態におけるＳＴ２０５からＳＴ２１３のステップと同様、その第１の燃焼条件における燃焼ファン１３の作動回数（第１作動回数）Ｃ１が増加する毎に、燃焼ファン１３の作動時間および回転数を小さく、停止時間を大きくしながら間欠給気運転が行われる（ＳＴ３０５〜ＳＴ３１３）。
【００６８】
また、燃焼時間Ｆ１が第１の判定時間Ｆａ未満であり（ＳＴ３０４のステップでＮｏ）、且つ、第１の判定時間Ｆａより小さい第２の判定時間Ｆｂ（ここでは、５分）以上である場合（ＳＴ３１４のステップでＹｅｓ）は、第２の実施形態におけるＳＴ２１５からＳＴ２２３のステップと同様、ＳＴ３１２からＳＴ３１３のオンオフ動作のステップよりさらに一段階、燃焼ファン１３の作動時間および回転数を小さく、停止時間を大きくした状態から、その第２の燃焼条件における燃焼ファン１３の作動回数（第２作動回数）Ｃ２が増加する毎に、燃焼ファン１３の作動時間および回転数をさらに小さく、停止時間を大きくしながら間欠給気運転が行われる（ＳＴ３１５〜ＳＴ３２３）。
【００６９】
さらに、燃焼時間Ｆ１が第２の判定時間Ｆｂ未満である場合（ＳＴ３１４のステップでＮｏ）は、第２の実施形態におけるＳＴ２２４からＳＴ２３２のステップと同様、ＳＴ３２２からＳＴ３２３のオンオフ動作のステップよりさらに一段階、燃焼ファン１３の作動時間および回転数を小さく、停止時間を大きくした状態から、その第３の燃焼条件における燃焼ファン１３の作動回数（第３作動回数）Ｃ３が増加する毎に、燃焼ファン１３の作動時間および回転数をさらに小さく、停止時間を大きくしながら間欠給気運転が行われる（ＳＴ３２４〜ＳＴ３３２）。
【００７０】
このように、上記第３の実施形態に係る給湯器１によれば、燃焼運転時のバーナ１１の燃焼時間Ｆ１が小さいほど、間欠給気運転における燃焼ファン１３の停止時間が大きくなり、且つ、作動時間および回転数が小さくなるから、第２の実施形態に係る給湯器１と同様、再出湯性能が一層向上すると共に、運転時の消費電力および騒音を一層低減することも可能である。
【００７１】
上記第３の実施形態では、燃焼運転時のバーナ１１の燃焼時間Ｆ１が小さいほど、間欠給気運転における燃焼ファン１３の停止時間を大きく、且つ、作動時間および回転数を小さく設定するように構成されたものを説明したが、本発明の第４の実施形態に係る給湯器１は、燃焼運転が終了するまでの所定時間におけるバーナ１１の積算燃焼熱量Ｑ１が小さいほど、間欠給気運転における燃焼ファン１３の停止時間を大きく、且つ、作動時間および回転数を小さく設定するように構成されている。詳述すると、制御回路３は、燃焼運転が終了する所定時間前から終了するまでのバーナ１１の積算燃焼熱量Ｑ１を算出する燃焼熱量算出部をさらに有している。また、給気間隔設定部は、燃焼時間Ｆ１に代えて、上記積算燃焼熱量Ｑ１に応じて間欠給気運転における燃焼ファン１３の停止時間を設定する回路構成を有しており、給気量設定部は、燃焼時間Ｆ１に代えて、上記積算燃焼熱量Ｑ１に応じて間欠給気運転における燃焼ファン１３の作動時間および回転数を設定する回路構成を有している。
【００７２】
本発明の第４の実施形態に係る給湯器１の燃焼運転停止後の制御動作を、図８および図９のフローチャートに従って説明する。尚、図示しないが、上記給湯器１では、温水利用先Ｐへの給水が開始され、バーナ１１が点火されると同時に、バーナ１１が消火されるまでの所定時間（ここでは、１０分間）におけるバーナ１１の積算燃焼熱量Ｑの算出が開始される。
【００７３】
燃焼運転の実行中に温水利用先Ｐへの給水が停止され、バーナ１１が消火されると、上記第３の実施形態と同様、ポストパージ運転を行う。その結果、熱交温度Ｔ１が基準温度Ｔｓより低くなった場合は、間欠給気運転を行わずに、メモリに記憶された所定燃焼条件毎の燃焼ファン１３の作動回数Ｃ１，Ｃ２，Ｃ３を「０」にリセットし、温水利用先Ｐへの給水が再開されるのを待機した状態に戻る（ＳＴ４０１〜ＳＴ４０３）。
【００７４】
一方、ポストパージ運転が終了した時点で、熱交温度Ｔ１が基準温度Ｔｓ以上である場合（ＳＴ４０２のステップでＹｅｓ）は、熱交換器１２の表面に付着したドレンが水蒸気になり易い状態であるとして、燃焼ファン１３の作動および停止を所定の間隔で複数回繰り返す間欠給気運転を行う。具体的には、熱交温度Ｔ１が基準温度Ｔｓ以上であれば、さらに燃焼運転が終了したときの上記積算燃焼熱量Ｑ１が第１の判定熱量Ｑａ（ここでは、３４．９ｋＷ）以上であるか否かを判定する（ＳＴ４０４）。
【００７５】
そして、積算燃焼熱量Ｑ１が第１の判定熱量Ｑａ以上である場合（ＳＴ４０４のステップでＹｅｓ）は、熱交換器１２の表面に比較的多くのドレンが付着しており、水蒸気の発生量が比較的多い状態であるとして、第３の実施形態におけるＳＴ３０５からＳＴ３１３のステップと同様、その第１の燃焼条件における燃焼ファン１３の作動回数（第１作動回数）Ｃ１が増加する毎に、燃焼ファン１３の作動時間および回転数を小さく、停止時間を大きくしながら間欠給気運転が行われる（ＳＴ４０５〜ＳＴ４１３）。
【００７６】
また、積算燃焼熱量Ｑ１が第１の判定熱量Ｑａ未満であり（ＳＴ４０４のステップでＮｏ）、且つ、第１の判定熱量Ｑａより小さい第２の判定熱量Ｑｂ（ここでは、１１．６ｋＷ）以上である場合（ＳＴ４１４のステップでＹｅｓ）は、第３の実施形態におけるＳＴ３１５からＳＴ３２３のステップと同様、ＳＴ４１２からＳＴ４１３のオンオフ動作のステップよりさらに一段階、燃焼ファン１３の作動時間および回転数を小さく、停止時間を大きくした状態から、その第２の燃焼条件における燃焼ファン１３の作動回数（第２作動回数）Ｃ２が増加する毎に、燃焼ファン１３の作動時間および回転数をさらに小さく、停止時間を大きくしながら間欠給気運転が行われる（ＳＴ４１５〜ＳＴ４２３）。
【００７７】
さらに、積算燃焼熱量Ｑ１が第２の判定熱量Ｑｂ未満である場合（ＳＴ４１４のステップでＮｏ）は、第３の実施形態におけるＳＴ３２４からＳＴ３３２のステップと同様、ＳＴ４２２からＳＴ４２３のオンオフ動作のステップよりさらに一段階、燃焼ファン１３の作動時間および回転数を小さく、停止時間を大きくした状態から、その第３の燃焼条件における燃焼ファン１３の作動回数（第３作動回数）Ｃ３が増加する毎に、燃焼ファン１３の作動時間および回転数をさらに小さく、停止時間を大きくしながら間欠給気運転が行われる（ＳＴ４２４〜ＳＴ４３２）。
【００７８】
このように、上記第４の実施形態に係る給湯器１によれば、燃焼運転が終了するまでの所定時間におけるバーナ１１の積算燃焼熱量Ｑ１が小さいほど、間欠給気運転における燃焼ファン１３の停止時間が大きくなり、且つ、作動時間および回転数が小さくなるから、第３の実施形態に係る給湯器１と同様、再出湯性能が一層向上すると共に、運転時の消費電力および騒音を一層低減することも可能である。
【００７９】
尚、上記各実施の形態では、ポストパージ運転が終了した後、熱交温度Ｔ１が基準温度Ｔｓ以上であれば、その時点から引き続き間欠給気運転が開始されるものを説明したが、ポストパージ運転が終了してから所定の待機時間（例えば、１８０秒）経過後に間欠給気運転が開始されるように構成されたものとしてもよい。また、このものにおいて、上記待機時間は、ポストパージ運転終了時の熱交温度Ｔ１が低いほど、或いは、燃焼運転時のバーナ１１の燃焼時間Ｆ１もしくは積算燃焼熱量Ｑ１が小さいほど、大きく設定されるものとしてもよい。これにより、燃焼ファン１３の稼働量が一層低下するから、運転時の消費電力および騒音をより一層低減することが可能である。
【００８０】
上記各実施の形態では、間欠給気運転において、燃焼ファン１３の作動および停止が繰り返される毎に、燃焼ファン１３の作動時間および回転数を小さく設定し、且つ、停止時間を大きく設定するように構成されたものを説明したが、燃焼ファン１３の作動および停止が繰り返される毎に、燃焼ファン１３の停止時間のみを大きく設定するように構成されたものとしてもよいし、燃焼ファン１３の作動時間もしくは回転数の何れか一方のみを小さく設定するように構成されたものとしてもよい。
【００８１】
上記各実施の形態では、出湯管路２７の温度（出湯温度）から熱交換器１２の温度を検出するものを説明したが、伝熱フィン１２０の表面温度や顕熱熱交換管路１２Ａの出口側付近の温度、潜熱熱交換管路１２Ｂの出口側付近の温度、熱交換室２２の周壁の表面温度から熱交換器１２の温度を検出するように構成されたものとしてもよい。
【００８２】
本発明は、燃焼室２１の空気導入口２１１に逆流防止弁１５が設けられていない燃焼装置にも適用できる。また、本発明は、給湯機能のみ有する給湯器に限らず、風呂追焚機能を有する給湯器にも適用できるし、温水暖房端末へ温水を循環供給する暖房用熱源機、貯湯式給湯システムの熱源機、顕熱熱交換器のみ有する熱源機にも適用できる。
【符号の説明】
【００８３】
１      給湯器（燃焼装置）
１１    バーナ
１２    熱交換器
１３    燃焼ファン
１５    逆流防止弁
１７    熱交温度センサ
２０    筐体
３      制御回路
【図１】
0006545554.tif 000002
【図２】
0006545554.tif 000003
【図３】
0006545554.tif 000004
【図４】
0006545554.tif 000005
【図５】
0006545554.tif 000006
【図６】
0006545554.tif 000007
【図７】
0006545554.tif 000008
【図８】
0006545554.tif 000009
【図９】
0006545554.tif 000010